(57)【要約】  時計ムーブメントが、共通軸を中心に回転する２つの時計構成部品、すなわち、その先端の少なくとも一方にピボット（１）を含むアーバに取り付けられた第１の時計構成部品と、ピボット（１）を受ける軸受（２）を含む第２の時計構成部品とを含む。ピボット（１）及び軸受（２）は、セルフロック効果によりアーバの回転を第２の構成部品に伝達可能にする角すきまをもってピボット（１）が軸受（２）に係合するように配置された、それぞれオス又はメスの、丸みを帯びた正多角形、好ましくは丸みを帯びた正三角形の形状を有する。
2018537696.tif 000002
【特許請求の範囲】
【請求項１】
共通軸を中心に回転する２つの時計構成部品、すなわち、その先端の少なくとも一方にピボット（１）を備えるアーバに取り付けられた第１の時計構成部品と、前記ピボット（１）を受ける軸受（２）を備える第２の時計構成部品とを備え、前記ピボット（１）及び前記軸受（２）が、セルフロック効果により前記アーバの回転を前記第２の構成部品に伝達可能にする角すきまをもって前記ピボット（１）が前記軸受（２）に係合するように配置された、それぞれオス又はメスの、３つから６つの辺を有する丸みを帯びた正多角形、好ましくは丸みを帯びた正三角形の形状を有する時計ムーブメントであって、
前記ピボット（１）及び前記軸受（２）が丸みを帯びた正三角形の形状を有し、前記ピボット（１）及び前記軸受（２）の丸みを帯びた三角形が、それぞれ三角形の３つの辺に接する仮想内接円（６，１０）の直径Ｄ１，Ｄ１’、及びそれぞれ３つの頂点を通る仮想外接円（５）の直径Ｄ２，Ｄ２’を呈し、関係Ｄ１／Ｄ２及びＤ１’／Ｄ２’が０．５から０．９５であることを特徴とする、時計ムーブメント。
【請求項２】
前記軸受（２）の丸みを帯びた三角形が、前記軸受（２）の三角形の３つの頂点を通る仮想外接円（６）の直径Ｄ２を呈し、前記ピボット（１）の丸みを帯びた三角形が、前記ピボット（１）の三角形の３つの頂点を通る仮想外接円（１０）の直径Ｄ２’を呈し、関係Ｄ３／Ｄ２が０．７から０．９９である、請求項１に記載のムーブメント。
【請求項３】
前記ピボット（１）と前記軸受（２）との間に設けられる接触面Ｓが、前記ピボット（１）が前記軸受（２）に挿入されて、セルフロック効果を確保するために角変位するとき、前記ピボット（１）の丸みを帯びた多角形の一辺の全長の１／１０から９／１０の長さにわたって延在する、請求項１〜請求項２のいずれか一項に記載のムーブメント。
【請求項４】
前記軸受（２）への前記ピボット（１）の挿入がセルフセンタリングであって、角変位によるセルフロック効果が可能になり、前記軸受（２）からの前記ピボット（１）の引抜きが、セルフロックのための角変位と反対方向の角変位によって行われる、請求項１〜請求項３のいずれか一項に記載のムーブメント。
【請求項５】
前記ピボット（１）が、前記軸受（２）を含む時計構成部品の面（４）に擦れるシート（３）を含む、請求項１〜請求項４のいずれか一項に記載のムーブメント。
【請求項６】
前記ピボット（１）が空洞にされた、請求項１〜請求項５のいずれか一項に記載のムーブメント。
【請求項７】
直列に取り付けられた共通軸を中心に回転する２つの香箱（７，８）、すなわち、その先端の少なくとも一方に前記軸受（２）を含むアーバ（９）に固定された第１の香箱（８）と、前記軸受（２）を受ける前記ピボット（１）を含む第２の香箱（７）とを備える、請求項１〜請求項６のいずれか一項に記載のムーブメント。
【請求項８】
前記第１の香箱（８）の第１のアーバ（９）がホイール（１２）によって回転駆動され、前記第１の香箱（８）の前記第１のアーバ（９）が前記第１の香箱（８）のドラム（１３）を回し、前記第１の香箱（８）の前記ドラム（１３）が、前記第２の香箱（７）の第２のアーバ（１１）内に形成されたピボット（１）を受ける軸受（２）を含み、前記第１の香箱（８）の前記第１のアーバ（９）が、前記第２の香箱（７）の前記第２のアーバ（１１）に対して自由に回る、請求項７に記載のムーブメント。
【請求項９】
請求項１〜請求項８のいずれか一項に記載のムーブメントを備えることを特徴とする、時計。
【請求項１０】
腕時計、懐中時計、又は置時計の形の、請求項９に記載の時計。
【発明の詳細な説明】
【技術分野】
【０００１】
本発明は、共通軸を中心に回転する２つの構成部品を含む時計ムーブメントに関する。
【背景技術】
【０００２】
時計ムーブメントでは、一般原則として、使用される各部品が、それぞれが軸受に係合するピボットをその２つの先端に備えたアーバを含む。軸受及びピボットから形成された枢支手段は、従来、ムーブメントに存在する回転部品の軸方向及び半径方向の位置決めを確実にするために使用される。
【０００３】
特許文献１は、ピボットと石との間の接触面を減らすように、円形断面の孔を呈する石、及び石に面したその表面において多角形断面を呈する鋼鉄製のピボットを提案している。
【０００４】
特許文献２は、回転軸を中心とする時計ムーブメントの一部の回転を可能にするよう意図された、ピボット及び前記ピボットを受ける軸受を備える枢支手段について記載している。２つの要素の互いの接触面は、低い摩擦係数及び低い摩耗率を有する材料から製作される。
【先行技術文献】
【特許文献】
【０００５】
【特許文献１】仏国特許第１０３３０７１号明細書
【特許文献２】国際公開第２００９／１１５５１９号パンフレット
【発明の概要】
【発明が解決しようとする課題】
【０００６】
本発明の目的は、容易に製造され、容易に機械加工できる枢支手段により、２つの時計構成部品を同軸に結合するための別の構成を提案することである。
【０００７】
本発明はまた、ピボットと軸受との間の接触によって引き起こされる材料のひずみ硬化を避けることを可能にする。
【課題を解決するための手段】
【０００８】
本発明によれば、時計ムーブメントが、共通軸を中心に回転する２つの時計構成部品、すなわち、その先端の少なくとも一方にピボットを含むアーバに取り付けられた第１の時計構成部品と、前記ピボットを受ける軸受を含む第２の時計構成部品とを含む。前記ピボット及び前記軸受は、セルフロック効果により前記アーバの回転を前記第２の構成部品に伝達可能にする角すきまをもって前記ピボットが前記軸受に係合するように配置された、それぞれオス又はメスの、３つから６つの辺を有する丸みを帯びた正多角形、好ましくは丸みを帯びた正三角形の形状を有する。
【０００９】
一実施形態では、前記ピボット及び前記軸受の丸みを帯びた三角形が、それぞれ三角形の３つの辺に接する仮想内接円の直径Ｄ１，Ｄ１’、及びそれぞれ３つの頂点を通る仮想外接円の直径Ｄ２，Ｄ２’を呈し、関係Ｄ１／Ｄ２又はＤ１’／Ｄ２’が０．５から０．９５である。
【００１０】
この同じ実施形態によれば、前記軸受の丸みを帯びた三角形が、前記軸受の三角形の３つの頂点を通る仮想外接円の直径Ｄ２’を呈し、前記ピボットの丸みを帯びた三角形が、前記ピボットの三角形の３つの頂点を通る仮想外接円の直径Ｄ２を呈し、関係Ｄ２’／Ｄ２が０．７から０．９９である。
【００１１】
一実施形態では、前記軸受に挿入されて、セルフロック効果を確保するために角変位するときに前記ピボットと前記軸受との間に存在する接触面Ｓが、前記ピボットの丸みを帯びた多角形の一辺の全長の１／１０から９／１０の長さにわたって延在する。
【００１２】
Ｄ２とＤ２’との間の直径の差、並びに前記軸受及び前記ピボットの形状により、前記軸受への前記ピボットの挿入がセルフセンタリングであることが可能になって、角変位によるセルフロック効果が可能になり、前記軸受からの前記ピボットの引抜きが、セルフロックのための角変位と反対方向の角変位によって行われる。
【００１３】
単に一例として示した全く限定的でない複数の実施形態の説明を読むことから、また概略図を参照して、本発明の特徴的特性がより明確に理解されよう。
【図面の簡単な説明】
【００１４】
【図１】図１は、丸みを帯びた等辺三角形の軸受及びピボットの斜視図を示す。
【図２】図２は、ピボット及び軸受が丸みを帯びた等辺三角形である、軸受に挿入されたピボットの下方からの図を示す。
【図３】図３は、ピボットが時計回り方向に角変位した、図２のピボット及び軸受の下方からの図を示す。
【図４】図４は、丸みを帯びた等辺三角形のピボット又は軸受の下方からの図を示す。
【図５】図５は、丸みを帯びた等辺三角形のピボット及び軸受が２つの香箱の間の接続を確保する、２つの香箱の同軸結合の斜視図を示す。
【図６】図６は、同軸に結合された２つの香箱の断面図を示す。
【発明を実施するための形態】
【００１５】
図１に示してあるように、共通軸を中心に回転する２つの時計構成部品の同軸結合が、その先端の一方にピボット１を含むアーバ３０に取り付けられた第１の時計構成部品（部分的に図示）、及びピボット１を受ける軸受２を含む第２の時計構成部品２０（部分的に図示）からもたらされる。ピボット１及び軸受２は、それぞれオス又はメスの、丸みを帯びた正三角形の形状を有し、セルフロック効果によりアーバ３０の回転を第２の構成部品２０に伝達可能にする角すきまをもってピボット１が軸受２に係合するように配置されている。ピボット１は、時計構成部品２０の面４に擦れるシート３を含む。
【００１６】
図２に示してあるように、ピボット１は軸受２に挿入され、ピボット１及び軸受２は丸みを帯びた三角形である。軸受２の丸みを帯びた三角形は、軸受２の三角形の３つの頂点を通る仮想外接円６の直径Ｄ２を呈し、ピボット１の丸みを帯びた三角形は、ピボット（１）の三角形の３つの頂点を通る仮想外接円１０の直径Ｄ２’を呈する。この例では、直径Ｄ２’及びＤ２の間の差は小さく、関係Ｄ２’／Ｄ２の値は０．９３である。
【００１７】
Ｄ２’とＤ２との間のこの小さな直径の差により、一旦軸受２に受けられていたピボット１が角変位するとき、接触面を最大にすることが可能になり、また材料のひずみ硬化を防止することが可能になる。図３に示してある例では、ピボット１は軸受２内で時計回り方向に角変位する。ピボット１と軸受２との間の接触面Ｓは、ピボット１が軸受２に挿入されて、セルフロック効果を確保するために角変位するとき、ピボット１の三角形の一辺の全長Ｌの約１／３の長さにわたって延在する。
【００１８】
図３の例では、丸みを帯びた三角形のオス型のピボット１は、軸受２の丸みを帯びた三角形のメス型に受けられ、角変位後、ピボット１及び軸受２は、同じ軸を中心に回転可能に接続される。軸受２へのピボット１の挿入はセルフセンタリングであって、この角変位によるセルフロック効果が可能になる。軸受２からのピボット１の引抜きは、セルフロックのための角変位と反対方向の角変位によって行われる。
【００１９】
図４に示すように、ピボット１及び軸受２の丸みを帯びた三角形は、三角形の３つの辺に接する仮想内接円６の直径Ｄ１及び３つの頂点を通る仮想外接円５の直径Ｄ２を呈する。この例では、関係Ｄ１／Ｄ２は約０．８３である。外径Ｄ２と内径Ｄ１との間の差は小さく、たとえば、剛性軸を有して、アーバの中心を空洞にすることを可能にする。したがって、ピボット１は、ピボットが正方形の場合よりも大きな直径のアーバが通過するように、空洞にしてもよい。
【００２０】
図５及び図６は、２つの香箱７，８を同軸に直列に結合するための構成を示す。２つの香箱７，８、すなわち、その先端の一方に軸受２を含むアーバ９に取り付けられた第１の香箱８、及び軸受２を受けるピボット１を含む第２の香箱７は、直列に取り付けられた共通軸を中心に回転する。
【００２１】
図６は、直列の２つの香箱７，８の同軸結合の断面図を示す。香箱７，８のそれぞれは、ぜんまい１７用のハウジングとして、また香箱真のひげ玉に位置するフックによるぜんまい１７の取付けを可能にする香箱真用のピボットとしてそれぞれが機能する、香箱ドラム１３，１４を含む。香箱８の第１のアーバ９は外部ホイール１２によって回転駆動され、香箱８の第１のアーバ９は香箱８のドラム１３を回す。香箱８のドラム１３は、香箱７の第２のアーバ１１内に形成されたピボット１を受ける軸受２を含む。香箱８の第１のアーバ９は、香箱７の第２のアーバ１１内で自由に回る。
【００２２】
したがって、時計が巻かれると、香箱８の第１のアーバ９はホイール１２によって回転駆動される。ぜんまい１７は、香箱８のアーバ９のフックによって香箱８のドラム１３を回す。香箱８のドラム１３は、香箱７のアーバ１１内に形成されたピボット１を受ける軸受２を含む（図５）。この受けにより、追加の構成部品なしに２つの香箱７，８を結合することが可能になる。香箱７のアーバ１１は香箱８のアーバ９の周りを自由に回り、香箱７のドラム１４を回すぜんまい１５を駆動する。香箱７のドラム１４と一体化したリングギヤ１６が、時計ムーブメントにエネルギを伝達する。
【００２３】
図示してある例では、ピボット１及び軸受２の好ましい幾何学的形状は三角形であるが、ここで説明しない変形形態では、この幾何学的形状は、たとえば五角形など多角形であってもよい。
【００２４】
この２つの時計構成部品の同軸結合により、これが腕時計、懐中時計、又は置時計であろうと、特にムーブメント内部の空間を節約することが可能になる。
【図１】
2018537696.tif 000003
【図２】
2018537696.tif 000004
【図３】
2018537696.tif 000005
【図４】
2018537696.tif 000006
【図５】
2018537696.tif 000007
【図６】
2018537696.tif 000008
【国際調査報告】
2018537696.tif 000009
2018537696.tif 000010
2018537696.tif 000011
2018537696.tif 000012